Podtech/llm-jp-corpus-v4-ja_patent huggingface dataset:
(57)【要約】【課題】階段の踏み面に、衝撃を和らげるバネを装着した支柱にさらに衝撃痛を少なくする緩衝材を設けた緩衝具を提供する。【解決手段】支柱下部の上中空軸、下中空軸の間に、支柱が上下左右自在になるコイルバネを設け、さらに支柱が垂直な状態を保持し、かつ衝撃による支柱の倒れを防止するストッパーも兼ねる圧縮バネを設ける。支柱に緩衝材を装着する。固定板を踏み面に固定し、固定軸に固定軸受けを差し込み固定ナットにより固定したことを特徴とす緩衝具。【選択図】図１
2009250014.tif 000002
【特許請求の範囲】
【請求項１】
上中空軸（１）、下中空軸（２）との間にコイルバネ（４）を設け、さらに垂直保持及び傾斜ストッパーを兼ねる圧縮バネ（５）を設け、上中空軸と一体構造となる支柱（１）に緩衝材（１１）を装着したことを特徴とする緩衝具。
【発明の詳細な説明】
【技術分野】
【０００１】本発明は、支柱下部上下中空軸の間に、支柱に加わる衝撃を和らげるバネを設け、さらに衝撃材を装着した緩衝具に関するものである。
【背景技術】
【０００２】従来、階段から滑り落ちる体を中途で防止する装置はなかった。
【発明の開示】
【発明が解決しょうとする課題】
【０００３】そのために、次のような問題点があった。
階段で、足を踏み外したとき、下段まで落下し骨折などの事故が多く発生していた。
本発明は、これらの問題点を解決するためになされたものである。
【課題を解決するための手段】
【０００４】支柱（１）下部の中空軸（２）（３）の中間に、支柱が上下左右自在に可能すべくコイルバネ（５）を設け、さらに支柱が垂直な状態を保持、及び上段からの衝撃による支柱（１）の傾斜ストッパーを兼ねる．圧縮バネ（５）を設ける。支柱に緩衝材（１１）を装着する。固定板（７）を階段の踏面に木ネジにより固定し、固定軸（８）に固定軸受け（９）を差し込み固定ナット（１０）により固定する。（１５）は、夜光テープである。
以上を特徴とする緩衝具である。
【発明の効果】
【０００５】階段で、足を踏み外し滑り落ちる体を、バネと緩衝材の相互作用により体をソフトに受け止める事ができ安心である。
【発明を実施するための最良の形態】
【０００６】以下、本発明の実施の形態について説明する。
（イ）。支柱と一体構造からなる上中空軸と下中空軸との間にコイルバネを設け、さらに支柱を垂直な状態に保持し、かつ上段から受ける衝撃による支柱の倒れを止める作用も兼ねる圧縮バネを、圧縮バネ支持軸（６）に装着する。
（ロ）。階段踏み面に装着する固定板に支柱を装着する固定軸（８）を設け、固定軸受け（９）を差し込み固定ナット（１０）にて固定する。
（ハ）。支柱に緩衝材（１１）を装着する。
（ニ）。荷物の上げ下げにより緩衝具が支障になるときは固定ナットを外すだけて簡単に取り外しできる。
本発明は以上のような構成で、これを使用するときは、固定板（７）を階段の踏み面に木ネジなどにより固定する。固定軸受け（９）を固定軸（８）に差し込み固定ナット（１０）により固定する。万一階段の途中で足を踏み外し滑り落ちる体を本考案の緩衝具により体をソフトに受け止める事ができる。
【実施例１】
【０００７】階段幅の中間に緩衝具を装着しても支柱はバネの作用により左右に揺れるため階段の上り下りに支障はない。階段幅が広いときは図（３）に示すように、緩衝材を複数にしてもよい。支柱にからだがぶつかってもバネ材及び緩衝材の作用により衝撃は少なくて済む。
圧縮バネの作用により支柱は垂直の状態にかいふくすると同時に上段からの衝撃による支柱の傾斜を止める事ができるストッパーの機能も圧縮バネ（５）は兼ねる。
【図面の簡単な説明】
【０００８】
【図１】本発明の側面図
【図２】本発明の緩衝材一列の平面図
【図３】本発明の緩衝材二列の平面図
【図４】本発明の緩衝具に、上段から体が当たり緩衝具が傾斜した状態を示す側面図
【符号の説明】
【０００９】  １  支柱
２  上中空軸
３  下中空軸
４  コイルバネ
５  圧縮バネ
６  圧縮バネ支持軸
７  固定板
８  固定軸
９  固定軸受け
１０  固定ナット
１１  緩衝材
１２  緩衝材受け
１３  自在軸
１４  圧縮バネ受け
１５  夜光テープ
【図１】
2009250014.tif 000003
【図２】
2009250014.tif 000004
【図３】
2009250014.tif 000005
【図４】
2009250014.tif 000006
(57)【要約】【課題】狭隘な土地に建設する平屋建でない構造物に駐車場等を合理的に割り当てることのできる構造手段を提供する。【解決手段】床階部分を有する２つの構造物の間にらせん状階段を設置し、其らせん状階段の中心に補助構造物を設置することにより、上記課題を解決する空間を提供することができる。このための構造手段として、主たる構造物より支持される盤、及び、独立支持方式の補助構造物より、らせん状階段を支持する。【特許請求の範囲】
【請求項１】
３次元格子構造を有する、高さの異なる床梁から成る２つの隣り合う構造物を基礎として、其床梁端部を斜材でつなぎ合わせてできるトラス状の構造の柱であり、外力により柱が座屈を起こすことを防ぐために設けたれた部材を要素とする当該柱を有する主たる構造物と、
この主たる構造物において、らせん状に上階に昇っていくことのできる階段、若しくは、これを支持するための盤及び補助構造物（３次元格子構造及び斜材により構造される主たる構造物の内部で、かつ、らせん階段構造の中心部に設けられる構造物）と、
を特徴とするもの。
【発明の詳細な説明】
【技術分野】
【０００１】  この発明は狭隘な土地に建設する平屋建でない建物の構造に関するものである。
【背景技術】
【０００２】  平屋建でない建物の構造は、其階段の構造及び配置により、機能上、外観上の制限を受ける。狭隘な土地という条件では、この制限の規模が大きくなるという計画上の背景が存在する。
【発明の開示】
【発明が解決しようとする課題】
【０００３】  一方で、狭隘な土地においても、駐車場の設置、店舗兼用住居のための適切な動線の確保等という事項の要求が存在する。【０００４】  この発明は上記のような問題点を解決して、建設される構造物に要求を満足する合理的な空間を提供することに資することを目的とする。
【課題を解決するための手段】
【０００５】（１）この発明に係る構造物は、らせん状に上階に昇っていくことのできる階段、若しくは、これを支持するための盤及び補助構造物（３次元格子構造及び斜材により構成される主たる構造物の内部で、かつ、らせん階段構造の中心部に設けられる構造物）、及び主たる構造物より構成される。このような構造のため、階段部分を中心にした両側の構造物の床の高さは、対応するらせん階段部分のそれに符号することになる。このため、構造物全体を１つとするために、同時に構造物の剛性を補強するために、床梁端部と床梁端部を斜材にて接合し、座屈を防ぐために当該部分に鉛直方向に補強材を入れる構造とする。
（２）補助構造物が提供する空間はユーティリティ空間として利用することができる。このため、配管、ケーブル等の幹線を鉛直方向に計画できる。同時に、便所等を目的にした空間を提供できる。
【図面の簡単な説明】
【０００７】本発明は構造を特徴とするものを目的としている。これを仕様するために、具体事案を表す次のような図を例示する。
【図１】各階平面図である。
【図２−１】フレーム計画図である。
【図２−２】フレーム計画図である。
【図２−３】フレーム計画図である。
【図２−４】フレーム計画図である。
【図２−５】フレーム計画図である。
【図３】階段支持方法を示す図である。
【図１】
2009250025.tif 000002
【図２−１】
2009250025.tif 000003
【図２−２】
2009250025.tif 000004
【図２−３】
2009250025.tif 000005
【図２−４】
2009250025.tif 000006
【図２−５】
2009250025.tif 000007
【図３】
2009250025.tif 000008
【手続補正書】
【提出日】平成20年8月18日(2008.8.18)
【手続補正２】
【補正対象書類名】明細書
【補正対象項目名】０００７
【補正方法】変更
【補正の内容】
【０００７】  本発明は構造を特徴とするものを目的としている。これを仕様するために、具体事例を表す次のような図を例示する。
［図１−１］〜［図１−８］各階平面図である。
［図２−１］〜［図２−１４］フレーム計画図である。
【手続補正３】
【補正対象書類名】図面
【補正対象項目名】全図
【補正方法】変更
【補正の内容】
【図１−１】
2009250025.tif 000009
【図１−２】
2009250025.tif 000010
【図１−３】
2009250025.tif 000011
【図１−４】
2009250025.tif 000012
【図１−５】
2009250025.tif 000013
【図１−６】
2009250025.tif 000014
【図１−７】
2009250025.tif 000015
【図１−８】
2009250025.tif 000016
【図２−１】
2009250025.tif 000017
【図２−２】
2009250025.tif 000018
【図２−３】
2009250025.tif 000019
【図２−４】
2009250025.tif 000020
【図２−５】
2009250025.tif 000021
【図２−６】
2009250025.tif 000022
【図２−７】
2009250025.tif 000023
【図２−８】
2009250025.tif 000024
【図２−９】
2009250025.tif 000025
【図２−１０】
2009250025.tif 000026
【図２−１１】
2009250025.tif 000027
【図２−１２】
2009250025.tif 000028
【図２−１３】
2009250025.tif 000029
【図２−１４】
2009250025.tif 000030
(57)【要約】【課題】  畳床がインシュレーションボード以外（ポリスチレンボードやわら床）の素材でできている場合に、固定手段での固定が弱く、少しの衝撃で畳がズレるおそれがあります。またズレ防止具を取り付けたまま置畳を移動させると、固定が弱くなるおそれがあります。【解決手段】  畳床の側面のズレ防止具が当たる部分に、プラスチックなどの硬い素材でできた薄い板状の物を、接着剤などで接着し、その部分に固定手段があたるようにします。また移動の際にはズレ防止具を取り外してから移動させるようにします。  【選択図】図１
2009250002.tif 000002
【特許請求の範囲】
【請求項１】
床上に設置される置畳がズレないようにする為に、畳と畳が密接している部分の側面にあて、固定手段で固定するズレ防止具
【発明の詳細な説明】
【技術分野】
【０００１】
本発明は、置畳をズレないようにするためのものです。
【背景技術】
【０００２】
今までの置畳に用いられてきたズレを防止するための構造では、価格面の問題と、少しの衝撃で畳がズレてしまう欠点がありました。床に置かれた畳はズレが生じると、使い心地が悪く、また枠のように周囲を囲む方法では価格が高くなるうえ、畳の枚数が制限されます。（例えば特許文献１参照）
【０００３】
この改善策として、畳と畳が密接している部分の側面に、両方の畳にあたるようにズレ防止具をあてがい、固定手段で固定する方法です。
【特許文献１】特開平６−７３８６７
【発明の開示】
【発明が解決しようとする課題】
【０００４】
置畳のズレ
【課題を解決するための手段】
【０００５】
本発明は、置畳の畳と畳が密接しているところの畳の側面に、両方の畳にあたるようにズレ防止具をあて、ズレ防止具を固定手段（ビス・釘など）で止める方法です。
【発明の効果】
【０００６】
本発明のズレ防止具は、外側には伸縮、反りが少ない板状の部材を、内側には伸縮が少なく、薄い板状の部材を使います。それにより畳どうしを固定した時に、畳にあるていどまでの衝撃があたえられても、畳がズレることがありません。また誰にでも簡単に取り付けることができ、安価なことが特徴です。
【発明を実施するための最良の形態】
【０００７】
置畳の厚さより幅が狭いもので、置畳の密接している部分にあてたときに、両方の畳に十分かかる長さがあり、固定手段のための穴が開いている。
【０００８】
置畳の厚さより狭いことにより、畳の上にあがった時にズレ防止具が体に触れることがありません。
【０００９】
ズレ防止具の色や形に少し変化を加えることにより、側面のズレ防止具がインテリア効果をもたらします。
【実施例１】
【００１０】
図１と図２は、本発明のズレ防止具を使った実施例です。畳の枚数と箇所により、ズレ防止具の数と形状が変わります。
【００１１】
ズレ防止具Ｃは敷き詰めた畳の内側に取り付けるときのために、外側のものより薄くなっています。（外側  約3mm〜5mm、内側  約0.2mm〜0.5mm）
【００１２】
ズレ防止具Bは図１の１の畳のズレを押さえるために図１の２，３の畳に固定手段を三本使う形状になっています。
【００１３】
図６〜図８は、それぞれのズレ防止具を、置畳に固定手段で取り付けた図を側面から見た図です。          
【産業上の利用可能性】
【００１４】
ズレ防止具の長さ、厚さ、幅、固定手段の大きさや本数を変えることで、あらゆる厚さの畳に対応することができます。
【図面の簡単な説明】
【００１５】
【図１】3畳の置畳にズレ防止具を使用した時の図。
【図２】半畳の畳に６枚に、ズレ防止具を使用した時の図。
【図３】ズレ防止具A
【図４】ズレ防止具B
【図５】ズレ防止具C
【図６】ズレ防止具Aを置畳に取り付けた状態を側面から見た図
【図７】ズレ防止具Bを置畳に取り付けた状態を側面から見た図
【図８】ズレ防止具Cを置畳に取り付けた状態を側面から見た図
【符号の説明】
【００１６】
１  置畳
２  置畳
３  置畳
A  ズレ防止具A
B  ズレ防止具B
C  ズレ防止具C    
D  固定手段
【図１】
2009250002.tif 000003
【図２】
2009250002.tif 000004
【図３】
2009250002.tif 000005
【図４】
2009250002.tif 000006
【図５】
2009250002.tif 000007
【図６】
2009250002.tif 000008
【図７】
2009250002.tif 000009
【図８】
2009250002.tif 000010
(57)【要約】      （修正有）【課題】実負荷加重やエンジンでの運転なくシュミレーションでの各変速段のギアー抜けの予測測定が可能なる装置。【解決手段】エンジンの回転数とミッションのスリープ及びフォークにかかるシャフトの軸方向の応力を測定し、関数化させてミッションのギアー抜けの予測を行う。【選択図】図１
2009250967.tif 000002
【特許請求の範囲】
【請求項１】
実負荷加重やエンジンでの運転なくシュミレーションでの各変速段のギアー抜けの予測測定が可能なる装置。
【請求項２】
原理は、エンジンの回転数とミッションのスリープ及びフォークにかかるシャフトの軸方向の応力を測定し、関数化させてミッションのギアー抜けの予測を行うものである。
【発明の詳細な説明】
【技術分野】
【０００１】この発明は、トランスミッションの性能検査における新しい方法に関する。
【背景技術】
【０００２】従来の技術には見当たらない。
【発明の開示】
【発明が解決しようとする課題】
【０００３】当方式では、ミッションの検査において外観や分解による目視検査では判断不可能であったミッションギアーの走行中の抜けを予測し適切な保全により事故等の防止を行う事が可能になる。特殊知識等が不要で、誰もが容易にセンサーなしで測定が可能ならしめるものである。
【課題を解決するための手段】
【０００４】以上の課題を解決するために、請求項１を満足させるために発明された方式即ち請求項２による原理でもって手段としている。
【発明の効果】
【０００５】原理からも推測できる様に、測定にあたりミッションの分解や特別な測定器を必要とせず、極めて簡単に測定が可能である。特に応用では実車状態で測定が可能である。他には従来の測定方法はなし、敢えて行うならば実車で実負荷をかけ、路上での実走行実験しかない。再現性やその信頼性等で実用化されていないのが実情である道路走行中のミッション抜けは重大な事故を誘発し社会的な損失は多大である。また中古ミッションにおいてもその流通過程で信頼性の確保は必要である。特に大型トラックや人命の安全確保が最優先であるバス等の安全確保は重要なテーマである。この発明により設備の整わない整備工場や古物エンジンの流通過程において大きな効果が期待できる。
【発明を実施するための最良の形態】
【０００６】この発明の原理形態を図１に示す。図１において、一般的なトランスミッションの構造と、測定の原理を示す。図２は２速段にミッションギアー抜けが発生していた２速段の測定データと正常な４速段及び２速段の逆回転させた時の測定データである。
【産業上の利用可能性】
【０００７】ミッションが抜けると言う事はエンジンブレーキの作用がなく、又登坂時でのミッション抜けは逆走行の可能性すらある。このようなミッションを流通させない為にもミッション抜けの検査は必要不可欠である。
【図面の簡単な説明】
【０００８】
【図１】はトランスミッションの一般的な構造図と測定原理をしめす。図中の▲１▼はロードセルはかかる力を電気変換する変換機である。  ▲２▼はモータとクラッチ  ▲３▼はＨＩ?ＬＯ切り替えギアー  ▲４▼は４速段ギアー  ▲５▼は３速段ギアー  ▲６▼は２速段ギアー  ▲７▼は１速段ギアー  ▲８▼はメインシャフト  ▲９▼はスリーブ（スライドしてギヤーが入る）  ▲１０▼はバックギアー  ▲１１▼は応力の方向を示す（実際の測定データ）
【図２】に実際に計測されたデータをしめす。実際の測定データ（参考）（１０ＴＯＮトラクタートランスミッション）１０馬力のモーターにてミッションを回転させて、変速ギアーの機械的遊びをなくした状態で測定。応力初期値（風袋）をー２０００に設定。横軸に回転速度ＲＰＭ  縦軸に応力（電圧μＶ）でグラフ化した。（グラフ中赤色＝２速段正回転  緑色＝正常な４速段正回転の測定真値）実験結果  （対象ミッション  トラクター１０ＴＯＮ）説明  ２速目のミッション抜けが発生していたトラクターのミッションを実験対象とした。回転速度０ＲＰＭではー２０００を指針していた測定器は回転速度の上昇に比例して増加現象を示している。１４５ＲＰＭではその応力は飽和してしまった。この有位差は顕著で比例勾配の違い（仮想曲線）の任意設定でミッションの抜けが予測可能と思われる。
【図１】
2009250967.tif 000003
【図２】
2009250967.tif 000004
(57)【要約】      （修正有）【課題】機械器具の水平度を計測するための多角方向計測器を提供する。【解決手段】立方体内側に四角以上の逆多角錘をくり抜いた開口部を設け、内側四角（東西南北）に向かう直線上に目盛を設け開口部内に一定の液体を注入し、透明素材の蓋で密封する事で、多方向の計測を飛躍的に利便化出来る、多角方向計測水平器。【選択図】図２
2009250968.tif 000002
【特許請求の範囲】
【請求項１】
立方体内側に四角以上の逆多角錘をくり抜いた開口部を設け開口部中心点から内側四角（東西南北）に向かう直線上に目盛を設け、開口部内に一定の液体を注入し、透明素材の蓋で密封した仕組みを特徴としている、多角方向計測水平器とした。
【発明の詳細な説明】
【技術分野】
【０００１】  本発明は水平を必要とする、機械器具の水平度を計測する為の多角方向計測水平器に関するものである。
【背景技術】
【０００２】  従来の水平器では、水平の傾きを東西又は南北のみで読み取る発明がある。【特許文献１】特許公開  ２００３−２２２５２１号広報
【発明の開示】
【発明が解決しようとする課題】
【０００３】  その為には次の様な問題点があった。東西の１点の水平垂直面しか計測出来なかった。  南北を計測し、更に東西を計測し、そして又南北、東西と繰り返し計測しなければならない為、時間と労力を要し非常に効率が悪かった。本発明は以上の問題を解決する趣旨で発明、考案したものである。
【課題を解決する為の手段】
【０００４】  立方体内側に逆四角錘をくり抜いた開口部を設ける。開口部中心点から内側４角（東西南北）に向かう直線上に目盛を設ける。開口部内に一定量の液体を注入する。開口部に透明の蓋を用い密封する。以上を特徴とする多角方向計測水平器とした
【発明の効果】
【０００５】  水平垂直を一ケ所で計測でき、従来の各方向及び四ケ所で繰り返し調整計測する必要が無くな為極めて利便性に優れ短時間の計測が可能となる。
【発明を実施する為の最良の形態】
【０００６】  以下、本発明の実施の形態を説明する。（イ）金属等で出来た、本体（１）の内側に一定の見やすい角度の傾斜を作った逆三角錘の開口部（２）を設ける。（ロ）東西南北の角（３）と中心点（４）を結ぶ直線上に目盛（５）を設ける。（ハ）中央開口部に一定分量の液体（６）を注入し透明素材の蓋で密封する。本発明は、以上の仕組みで構成される、本発明を使用する場合は、水平を計測する設置物及び機械類の中心部、また機械等の水平部分に多角方向計測水平器を設定、設置し、内部液体の水平回復運動により生じる水平線位置と本木の目盛を一致させ東西南北の水平垂直を短時間で計測する。
【図面の簡単な説明】
【０００７】
【図１】本発明の斜視図
【図２】本発明の側面斜視図
【図３】本発明の使用状態を示す側面図
【図４】本発明の正面図
【符号の説明】
【０００８】（１）  本体（２）  開口部（３）  角（４）  中心点（５）  目盛（６）  内部一定分量の液体（７）  フタ
【図１】
2009250968.tif 000003
【図２】
2009250968.tif 000004
【図３】
2009250968.tif 000005
【図４】
2009250968.tif 000006
(57)【要約】      （修正有）【課題】低電圧重水素核融合装置を用い、安価で簡単なニュ−トリノ通信を可能とする。【解決手段】（１）受信機は、陽極、陰極となる二枚のＡｌ板の間にカ−バッテリ液と重水に染ました紙を挟んであり、直流電圧Ｖ０（最終的に１００Ｖ以上）をかける。陰極Ａｌに小穴がありヘリウムイオンが発生し、ビ−ムコレクタ−に入る。（２）発信機は、受信機と同じ構成であるが、陰極Ａｌに小穴がなく、陽極側を受信機に向けてある。陽極、陰極間の電圧はＶ０に変動電圧Δ  Ｖｓｉｎ  ωｔを加える。（３）受信機と発信機のＡｌ板平面の偏りを、距離に応じて調節する。【選択図】図１
2009077360.tif 000002
【特許請求の範囲】
【請求項１】
受信機側に、タウニュ−トリノとヘリウムイオンＨｅ＋＋を発生する一つの重水素核融合装置を配置し、発信機側に、向きを反対にしたもう一つの重水素核融合装置を配置し、反タウニュ−トリノを送って、受信側のＨｅ＋＋流を変化させ通信を行なう通信装置。
【発明の詳細な説明】
電磁波による通信は、今日全く一般的である。しかし、電磁波は導体で遮断されたり、反射されたりするので通信領域はやはり極限される。かくて、ニュ−トリノ通信もその直進性のために考えられている。
従来のニュートリノ発生法は巨大な高エネルギ−加速器を利用するものだった。またニュートリノ検出法は１０００トン以上の純水と１０００本以上の光電子増倍管による（カミオカンデの例）ものだった。従って巨額の建設費（１００億円以上）と巨大な建造物を要した。そのため、実用ニュ−トリノ通信装置は不可能だった。
本発明の図１の受信機は、すでに発表した（特願２００７−１２８５９９）低電圧重水素核融合装置である。二枚のＡｌ板の間にカ−バッテリ液と重水に染ました薄い紙を挟んであり、陽極Ａと陰極Ｋに直流電圧Ｖ０（１００Ｖ以上）をかけて自己点火装置にしてある。そこでは、Ｈｅ＋＋イオンが陰極Ｋの穴から発生してビ−ムコレクタ−ＢＣに入っている。この状態ではＨｅ＋＋イオン電流は負電荷のタウ素粒子τ−（特願２００２−２９４２６４）に打ち消されている。次に遠方に発信機として、反対に向けたもう一つの重水素核融合装置が配置してあり、図２に示す。その陽極側から反タウニュ−トリノν＊が発信し、受信機まで直進する（導体に遮断されない）。このときその陽極Ａと陰極Ｋ間の電圧を受信機と同じＶ０にすると、受信機の負電荷のタウ素粒子τ−が中和され（正電荷のタウ素粒子τ＋が発生）Ｈｅ＋＋イオン電流が出現する。そのＶ０を０．９Ｖ０以下に下げると、再びＨｅ＋＋イオン電流は打ち消される（τ−が発生）。発信機のＶ０に、−Δ  Ｖｓｉｎ  ωｔの交流電圧を加えると、図３のように遠方から受信機のＨｅ＋＋イオン電流を変化させることができる。即ち、通信ができる。
受信機と発信機を、例えば図４に示したように２０ｃｍ×２０ｃｍの平面板の核融合装置にすると、その間の距離２．５Ｋｍで受信機の発信機平面に対する偏りθは〜８’、１０Ｋｍで〜２’以内で、反ニュ−トリノν＊は直進し、〜１ＫＨｚまでの変化するＨｅ＋＋イオン電流により通信できる。
本発明の核融合によるニュ−トリノ通信は装置が簡単で安価になったので、ニュ−トリノの物質貫通力と直進性が利用できて、電磁波にできない海底や、地球の裏側、月の裏側への通信が可能になった。
【図面の簡単な説明】
【図１】重水素核融合装置の受信機
【図２】重水素核融合装置の発信機
【図３】発信機の電圧変動と受信機のＨｅ＋＋イオン電流の対応
【図４】受信機と発信機の距離とそれ等の平面の偏りの関係
【符号の説明】
［図１］Ａｌ：アルミ板、薄い紙：バッテリ−液と重水に染ました紙、Ｈｅ＋＋：ヘリウム２価正イオン、ＢＣ：ビ−ムコレクタ−、Ａ：陽極、Ｋ：陰極、Ｖ０：Ａ−Ｋ間電圧、τ−：負電荷のタウ素粒子、τ＋：正電荷のタウ素粒子、ｉ：Ｈｅ＋＋イオン電流。
［図２］ν＊：反タウニュ−トリノ、絶縁膜：ポリエチレン、Ｖ０−Δ  Ｖｓｉｎ  ωｔ：発信機の変動電圧（Δ  Ｖｓｉｎ  ωｔ：交流電圧）。
［図３］０．９Ｖ０：発信機のＡ，Ｋ間電圧がＶ０より１０％下がる変動点、ｉ：発信機の電圧に対応する受信機のＨｅ＋＋イオン電流、ｔ：時間。
［図４］Ｘ：受信機と発信機の距離、θ：受信機平面と発信機平面の偏り、ＢＣ：受信機のビ−ムコレクタ−、Ａ：発信機の陽極。
【図１】
2009077360.tif 000003
【図２】
2009077360.tif 000004
【図３】
2009077360.tif 000005
【図４】
2009077360.tif 000006
(57)【要約】      （修正有）【課題】疑似葡萄酒の製造器を提供する。【解決手段】熟成された葡萄酒の様な真似の葡萄酒を製造するための疑似葡萄酒の製造器であって、蒸留鍋１の１０００ｃｃの位置まで果汁を容れ、貯湯槽４を重ね合わして一体と成し、差水口５に冷水を入れ点火するのであるが、当初は強火で沸騰しない９０°前後まで加熱し、即弱火に変化させ、蒸発可能の温度で持続し、水量計８が７００ｃｃに達したら火を止めて水又は冷水に浸すことを特徴とする。【選択図】図１
2009077631.tif 000002
【特許請求の範囲】
【請求項１】
熟成された葡萄酒の様な真似の葡萄酒を製造するために、ミキサーされた葡萄果汁の水分を蒸発可能に下の方に蒸留鍋▲１▼を設け、上に貯水槽▲２▼を連続するロト▲３▼を内蔵する貯湯槽▲４▼を設け、差水口▲５▼から冷水を入れ上下各個を一体に組合せて成る疑似葡萄酒製造器である。
【請求項２】
蒸留鍋▲１▼の水量計▲８▼１０００ｃｃの位置まで果汁を容れ加熱するのであるが、温度計▲７▼が９０°前後に達したら即適当な弱火で引続き水量計▲８▼で加熱し、水量計が３分の１まで低下し出水口▲６▼から出た水が３分の１相当となったら加熱を中止して冷水に浸すようになった、第一項に示す疑似葡萄酒製造器である。
【発明の詳細な説明】
【技術の分野】
【０００１】本発明は疑似葡萄酒の製造器であって、家庭用飲料として即製造可能である。
【背景技術】
【０００２】葡萄酒は一般的には葡萄液を長期間樽詰めしてアルコール化するのを待つのであり、然も熟成年月の度合いによっては高値となる。よって一般的にまでは及ばないばかりか貴重品として取り扱われている。
【発明が解決しようとする課題】
【０００３】熟成とは、長期間放置することによって水分の飛散並果汁其の物の甘味がアルコール化する事であるが、本発明は長年月を要する事なく熟成された葡萄酒に至極近い一般市民の葡萄酒を提供せんとする。尚、災害等によって傷ついた大量の葡萄粒を家畜に与えているが、本器本案を応用することにより貴重な疑似葡萄酒を製造せんとする。
【課題を解決するための手段】
【０００４】葡萄酒に最も敵していると特定された粒でなくても、各地域に産する葡萄粒から搾取された果汁を加熱する事によって、水分の飛散・消毒・濃厚・甘味の抽出を長年の経験者の記録にしたがって処理せんとする。よって請求項第一項に示す製造器を必要とする。
【発明の実施例】
【０００５】本発明の製造には砂糖の使用を禁止する。砂糖を混入した葡萄液は月日と共に変質する。よって、本発明では天然自然の甘味を有する（ミゲン液）を触媒として使用する。（商標登録出願２００６−０７６４７０）
【０００６】葡萄の粒だけをもぎ取り良く水洗いし新聞紙等に広げて水分を取り、ミキサーしてガーゼ３枚程度に少しづつ包み込んで汁だけを絞り取り、皮を完全に除去する。
【０００７】絞り取った葡萄液を指を入れて味ったり或いは計測する等して、其の甘味に適当に触媒を混合撹拌する。
【０００８】葡萄液の甘味が強い場合は、（図１）に示す５００ｃｃに対して１０〜２０ｃｃ（スプーン２杯程度）の触媒を混合する。
【０００９】蒸留鍋（１）の１０００ｃｃの位置まで果汁を容れ、貯湯槽▲４▼を重ね合わして一体と成し、差水口▲５▼に冷水を入れ点火するのであるが、当初は強火で沸騰しない９０°前後まで温度計▲７▼が昇ったら即弱火に変化させ、蒸発可能の温度で持続し、水量計▲８▼が７００ｃｃに達したら火を止めて水又は冷水に浸す。
【０００１０】冷えたら自分好みのアルコール類を適当に混合して飲用するのであるが、熟成保存を希望される場合は、ウイスキーか純アルコールを混入して長く保存熟成を待つ。よって、飲用の場合は其の都度のアルコール類を入れない。
【０００１１】熟成させた葡萄酒は静かに上澄みだけを汲み取り飲用とする。撹拌しない。
【０００１２】前述した手段とは全く反対に、麹を使ってあらゆる果実又は其の他の発酵液からアルコールを抽出する事も可能である。更に其のアルコールで果実酒を造る事も可能である。
【産業上の利用可能性】
【０００１３】自家で容易に製造する事ができて、万民の飲み物となる。尚、製造方法の手順・葡萄の種類によっては長年月熟成された葡萄酒に近くなる。更に色素並葡萄エッセンスを使用すれば本物のごとく錯覚する。又飲み慣れるとむしろ自家製の葡萄酒に勝るものはない。
【図面の簡単な説明】第一図    疑似葡萄酒製造器の横断面図
【符号の説明】
図１    蒸留鍋  図２    貯水槽  図３    ロト  図４    貯湯槽  図５    差水口  図６    出水口  図７    温度計  図８    水量計
【図１】
2009077631.tif 000003
(57)【要約】【課題】繰り出した長さを確認しやすい釣り糸を提供する【解決手段】  １メートル毎に目印を付けた糸の１０メートル分を１ユニットとし、各ユニットのそれぞれの両端から連続した４個の目印間には目印以外の色を、残りの２個の目印間はユニットで使用していない色を付け、更に隣接のユニットとは配色を変えたことを特徴とする釣り糸である。【選択図】図１
2009077699.tif 000002
【特許請求の範囲】
【請求項１】
１メートル毎に目印を付けた糸の１０メートル分を１ユニットとし、各ユニットのそれぞれの両端から連続した４個の目印間には目印以外の色を、残りの２個の目印間はユニットで使用していない色を付け、更に隣接のユニットとは配色を変えたことを特徴とする釣り糸。
【発明の詳細な説明】
【技術分野】
【０００１】  本発明は、繰り出した釣り糸の長さを知るための配色に関するものである。
【背景技術】
【０００２】  現在の魚釣りでは、降ろした仕掛けの位置を正確に知る必要があるが、適切な手段は、伸びの小さい釣り糸に付けた色の違い以外に無い。
【発明の開示】
【発明が解決しようとする課題】
【０００３】  そのため、道糸に使用する釣り糸は、１０メートル毎に別の色を付け、それぞれの５メートルと１メートル毎の１０ｃｍから２０ｃｍの部分は更に別の色にして、繰り出した道糸の長さを１メートル単位で視認できるようにしてあった。しかし、この色の付け方では、５メートルの部分の視認性が悪く、見逃し易かった。本発明は、５メートル部分の視認性を、色の付け方で高めることによって、問題を解決するためのものである。
【課題を解決するための手段】
【０００４】  １メートル毎に目印を付けた糸の１０メートル分を１ユニットとし、各ユニットのそれぞれの両端から連続した４個の目印間には目印以外の色を、残りの２個の目印間はユニットで使用していない色を付け、更に隣接のユニットとは配色を変える。以上を特徴とする釣り糸である。
【発明の効果】
【０００５】  ５メートルの視認性が向上するため、繰り出した釣り糸の長さを確認しやすくなる。
【発明を実施するための最良の形態】
【０００６】  以下、本発明の実施の形態について説明する。
１メートル毎に目印を付けた糸の１０メートル分を１ユニットとし、各ユニットのそれぞれの両端から連続した４個の目印間には目印以外の色を、残りの２個の目印間はユニットで使用していない色を付け、更に隣接のユニットとは配色を変える。
本発明は以上のような構成なので、使用方法は、従来の道糸と全く変わらない。
【図面の簡単な説明】
【０００７】
【図１】  本発明の模式図
【符号の説明】
【０００７】  １  目印間の基本の色
２  １とは異なる色（１０メートル中の中心部２メートル分）
３  １、２と異なる色（１メートル単位の目印）
４  １、２、３と異なる色（２の部分の始まりを示す目印）
５  １、２、３、４と異なる色。但し３、４とは同色でもよい（１の中心点）
６  １〜５とは異なる色（隣接する１０メートル単位の色）
７  １〜６とは異なる色（隣接する１０メートル単位の色）
【図１】
2009077699.tif 000003
(57)【要約】【課題】  高温となる場所でも、長期間、数量に関係なく省スペースで備蓄できる燃料タンク付きコンロを提供する。【解決手段】  燃料をタンクである鉄製の缶詰で密閉し、密閉タンク自体の蓋を開けることでそのままコンロになることを特徴としている燃料タンク付きコンロ。【特許請求の範囲】
【請求項１】
可燃物で、液体、凝固したもの、固体、もしくはそれらの混合物を燃料とし、これを芯と共に、または芯を伴わず、あるいは不燃物と共に缶に注入し蓋をして密閉して燃料タンクとし、燃料を密閉した缶の蓋を開ければ、タンク自体がそのままコンロになることを特徴とする燃料タンク付きコンロ。
【発明の詳細な説明】
【技術分野】
【０００１】  本発明は、長期大量備蓄と省スペース化を図った、燃料タンクと一体となったコンロに関する。
【背景技術】
【０００２】  燃料タンク付きコンロは存在したが、単に燃焼させるだけで火力が弱いものが多く、大抵の物が使用者が燃料を注入する方法で使用している。【０００３】  消防法上の危険物を燃料タンクに注入した場合、炎天下の防災倉庫や学校の空き教室等に保管が困難であった。【０００４】  大災害時は、インフラは殆どが破壊され、ライフラインである、電気、水、燃料が殆どの場合供給されなくなる。【０００５】  災害発生時に最も必要とされる水、食料、及び燃料は、これらが届く頃は災害発生から数日が経過しているのが通例である。【０００６】  これは、行政の職員も被災者であるため、救援活動の初動が遅れるためであるが、この数日間を被災者のみで乗り越えなければならないという現実問題があった。
【発明の開示】
【発明が解決しようとする課題】
【０００７】  以上に述べた燃料と保管の問題点は、炎天下の防災倉庫の中は、内部温度が８０℃に達する場合がある。【０００８】  この様な状況においては、危険物に該当する燃料や可燃物の容器に収めた燃料は、長期保管や大量備蓄が不可能な点である。また、通常のコンロは大きくて保管場所の容積を多く必要とする点である。【０００９】  本発明は、このような従来の備蓄用燃料やコンロが有していた問題を解決しようとするものであり、高温となる防災倉庫にも長期備蓄可能で、省スペース且つ火力の強いコンロを実現することを目的とする。
【課題を解決するための手段】
【００１０】  本発明は、燃料を鉄製の缶詰で密閉する事で、高温となる場所でも保存を可能とし、省スペースとしてタンク自体をコンロとした特徴がある。また、タンクである缶詰が腐食しなければ、いつまでも保存可能な特徴がある。
【発明の効果】
【００１１】  本発明は、タンクである缶詰に注入する燃料を選べば、高温となる場所でも長期間、数量に関係なく保存できる利点がある。【００１２】  また、炎天下の防災倉庫、学校の空き教室、家庭の屋外の倉庫等で燃料とコンロの保存が可能となる。したがって、保管場所と保管数量の選択肢を大幅に緩和し、災害時に備えて必要数量を確実に身近に保管することを実現した。
【発明を実施するための最良の形態】
【００１３】  非危険物の燃料を密閉タンクである鉄製の缶詰に注入し、蓋は簡単に開く形式のものを採用する。なおかつ蓋の開口部は限度いっぱいまで大きくとる事とし、火力を大きくするために、蓋を開けた最大径がコンロの燃焼径となるようにする。
(57)【要約】【課題】  重量物も載せられ、風の影響を受けにくい、保管しやすく持ち運びに便利な五徳を廉価で供給する。【解決手段】  鍋ややかん等の調理器具の底もしくはコンロの上部または双方に五徳で十字型を形成し、風除けを行う。【選択図】図４
2009156565.tif 000002
【特許請求の範囲】
【請求項１】
複数の板体を十字形に組み合わせるべく互いに組合させ、コンロの上部に載せて使用することを特徴とする五徳。
【請求項２】
上記の板体の中央部から上方へ切り込む切欠け部を設け、この切欠け部で互いに組合せることを特徴とする請求項１の五徳。
【請求項３】
上記の板体の中央部の切欠け部の他に切欠けを設け、この切欠け部で互いに組み合わすべく、さらに多くの枚数を用いて板体を組合せ、または結合させ、コンロの上部に載せて使用することを特徴とする請求項目１又は２の五徳。
【請求項４】
板体の任意の縁を折り曲げ成形し、任意の辺に切り欠け部分及び、または干渉よけ部を設けてなる請求項１及び２又は３の五徳。
【発明の詳細な説明】
【技術分野】
【０００１】  本発明は、五徳に係り、主に屋外で使用する特に風に強い五徳、若しくは風に強い組み立て五徳に関する。
【背景技術】
【０００２】  従来、これ等の五徳には、コンロの上に鍋、釜、やかん等の調理器具を載せる機能を持たせて使用していたが、主に持ち運びを考慮に入れ軽量なものが多く用いられていた。また、専ら小さな調理器具を載せるだけの機能のものが多く、風の影響は受けやすいのが現状であった。
【発明の開示】
【発明が解決しようとする課題】
【０００３】  従来の五徳は、前述した軽量がゆえに強度上の問題があり、重量物は載せられない。また、屋外で使用する場合は、かぜの影響を受けやすい等の問題があった。【０００４】  そこで、本発明は、前記問題点にかんがみ、比較的軽量な調理用具を載せるためだけでなく、大きな調理器具や重量物も載せられ、なおかつ風にも強い、便利で廉価な五徳、また、組み立て五徳を提供することを技術的課題とする。
【課題を解決するための手段】
【０００５】  前記問題点を解決するために、本発明は、板体の厚みをまして重量物を載せられる方法と、比較的薄い板体の長手方向の縁を折り曲げて、曲げ圧力に対抗するように技術的手段を講じた。そして、五徳が鍋ややかん等の調理器具の下部もしくはとコンロの上部又は双方で十字に交わるようにし、風の影響が少なくなる工夫をする技術的手段を講じた。
【発明を実施するための最良の形態】
【０００６】  図においては、１及び２の２枚の板体を十字形に組み立てて図３のように五徳を形成し、該五徳の中心部にコンロ３の中心部を合わせ、コンロに載せ、図４のように該五徳の上部に調理用具４などを載せて使用する。図５のように複数のコンロで同時に大きな鍋５等を加熱する場合は、図５のように３枚以上の板体を組み合わせて五徳とするなど大きさも調整できる。【０００７】  このように、該五徳の組み立てが容易なので、災害時や屋内外の調理に適切な場所で簡単に加熱調理することができ、安定が良い。該五徳を分解すれば板体となり場所を選ばず格納できるとともに、持ち運びなどに便利になり、更に、該五徳の製造も容易なため、該五徳の大きさや強度などを考慮して様々な大きさに成形することができ、コストのかからない廉価な組み立て五徳を提供することができる。組み立てない、もしくは分解しない該五徳についても効果は同じである。【０００８】  なお、板体に長辺部を設け、該板体を組み合わせて五徳を形成したときに、調理器具の下部もしくはコンロの上部、または双方に十字の風除けを形成するならば、板体の形状は特に限定されない。
【図面の簡単な説明】
【０００９】
【図１】代表的な形状を示す板体の正面図
【図２】代表的な形状を示す板体の正面図
【図３】１つのコンロに対しての五徳の使用例
【図４】１つのコンロに対しての五徳と鍋の位置図
【図５】４つのコンロに対しての五徳の使用例
【図６】４つのコンロに対しての五徳と鍋の位置図
【符号の説明】
【００１０】  １  板体
２  板体１と同一である
３  コンロ
４  鍋
５  大鍋
【図１】
2009156565.tif 000003
【図２】
2009156565.tif 000004
【図３】
2009156565.tif 000005
【図４】
2009156565.tif 000006
【図５】
2009156565.tif 000007
【図６】
2009156565.tif 000008
(57)【要約】【課題】  既存エネルーギーの高騰や枯渇、また、地球温暖化対策のため、環境にやさしい新エネルーギーが求められている。【解決手段】  大きな発電機と小さなモーターを組合せて、小さなモーの自重をヒンジと歯車で支持する。この歯車と大きな発電機の歯車を接続させて、小さなモーターの荷重で、力の釣合状態をつくる。小さなモーターを回転させて発電する。モーターの使用電力と発電機による発電の差が利用可能電力となる。  この発電機を真空状態にすることで、より高効率発電機となる。【選択図】図３
2009156256.tif 000002
【特許請求の範囲】
【請求項１】
大きな発電機と、それより小さなモーターを組合せて、小さなモーターの自重をヒンジと歯車により支持する。大きな発電機の歯車（抵抗歯車）に小さなモーターの歯車（重さが起動歯車）を接続して、力の釣合状態とする。  こうして、小さなモーターで大きな発電機を回転させて発電する。発電とモーター消費電力の差が利用電力となる無燃料発電機
【請求項２】
無燃料発電機を筒の中にいれて、密封する。空気を抜いて、真空で発電する。高効率無燃料発電機。
【発明の詳細な説明】
【技術分野】
【０００１】  本発明は、発電をするのに、燃料を使用しないで、発電できるようにしたものである。
【背景技術】
【０００２】  現在まで、無燃料発電機はない。永久機関は、理論的に不可能であるが、本発明は、釣合の力学に基ずいた技術である。
【発明の開示】
【発明が解決しようとする課題】
【０００３】  原油高騰により、国民生活は大変厳しい時代となってきました。また、一方地球温暖化問題もあり、早急に環境にやさしい、新エネルーギーの創出技術である。
【課題を解決するための手段】
【０００４】  力が釣合っていることが、小さなエネルーギーで維持管理することができる。例えば、エレベーターは大きな重りを上げ、下げしているのは、小さなエネルーギーで運転できるからである。  大きな発電機と、それより小さなモーターを組合せて、小さなモーターの自重をヒンジと歯車により支持する。その歯車は発電機の歯車に接続している。  こうして、力の釣合状態にすることにより、小さなモーターで大きな発電機を回転させて発電する。  発電とモーター消費電力の差が利用電力となる無燃料発電機。  本発電機を筒の中に入れて、密封する。真空状態で発電することで、空気抵抗がなく、より高効率発電が可能となる。
【発明の効果】
【０００５】  有限である化石燃料、核エネルーギーの代替えエネルーギーとして、自然エネルーギーでなく、人工造成エネルーギーを早急に実現することである。  電力、自動車、船舶、航空機等のエネルーギーとして、安価で、どこでも、必要なだけ供給できる技術である。
【図面の簡単な説明】
【０００６】
【図１】本発明の平面図である。
【図２】本発明の正面図である。
【図３】本発明の力の釣合歯車を現す側面図
【符号の説明】
【０００７】  １    歯車  ２    大きな発電機  ３    小さなモーター  ４    ヒンジ  ５    発電機電線  ６    モーター電線  ７    荷重調整ネジ  ８    横桁  ９    支柱  １０  底板  １１  荷重枠
【図１】
2009156256.tif 000003
【図２】
2009156256.tif 000004
【図３】
2009156256.tif 000005
(57)【要約】【課題】ガソリンエンジン、ディ−ゼルエンジン、ジェットエンジン、アルコ−ルエンジン、各種ガスエンジン、ボイラ−、ガス、石油などの暖房器、調理器その他燃焼機器の吸気フィルタ−に噴霧定着させて使用することにより、燃費効率、パワ−の向上と排気ガスの浄化をはかる噴霧コ−ト剤を開発すること。【解決手段】微弱放射線を発生する物質であるレアア−ス鉱石をバインダ−と混合した噴霧コ−ト剤を開発することで、燃費効率、パワ−の向上と排気ガスの浄化が可能となった。【特許請求の範囲】
【請求項１】
（イ）微弱放射線を発生する物質をバインダーと混合し、
（ロ）各種内燃機関、ガス、石油などを燃料とする燃焼装置の
（ハ）吸気フィルターに噴霧定着させ、燃費効率、パワーの向上と排気ガスの浄化をはかる噴霧コート剤。
【請求項２】
上記微弱放射線発生物質がレア・アース鉱石である請求項１に記載の噴霧コート剤。
【請求項３】
ガソリンエンジン、ディーゼルエンジン、ジェットエンジン、アルコールエンジン、各種ガスエンジン、ボイラー、ガス・石油などの暖房器、調理器その他燃焼機器の吸気フィルターに噴霧定着させて使用する請求項１の噴霧コ−ト剤。
【発明の詳細な説明】
【発明の詳細な説明】
【産業上の利用分野】
【０００１】本発明は、内燃機関や暖房機等の吸気フィルターを使用するあらゆる燃焼機器に使用され、昨今の石油や燃料ガスの価格の高騰化とそれらの地下埋蔵量の限りある残存量から、燃料の消費量を軽減する事により、燃料消費コストの軽減と埋蔵残量燃料の消費年数の延長化につながり、正に省エネルギー対策に貢献出来、その上、燃焼効率の向上から排気される排気ガス内の一酸化炭素ガス、窒素酸化物、スモーク等の大きく減少させることが、環境浄化に貢献することとなる。
【背景技術】
【０００２】従来は、燃料を燃焼室に導く配管上にマイナスイオンを発生する材料を固形化したバンドの用な器具にして取り付け配管内の燃料そのものにマイナスイオンの影響を与えるものがあるが、配管の上からイオン化させる事で可成りイオン化効率が悪かった。
【発明が解決しようとする課題】
【０００３】従って本発明が解決しようとする課題は、内燃機関や燃焼機器内に取り込まれる、空気内の水成分をラジカル化させ、燃焼補助と燃料内の炭素分子の静電気を中和して炭素物質を分散微細化し燃焼効率を上げることである。
【課題を解決する為の手段】
【０００４】この課題の解決には、微弱放射線物質（レア・アース鉱石）を含むセラミック材を焼成と微細粉砕を繰り返し、成分を均等分散化させた粉体をスラリー状（液体状）にし、吸気フィルターに定着させることにある。
その場合、吸気フィルターは、燃焼機器内に空気を送り各種燃料と混合させ燃焼を最適化する為の空気の中に含まれるホコリなどの異物を除去するものであり、目詰まりを起こさせないよう、塗布粉体を十分に微小化することや乾燥の早いバインダーを選択することも重要である。
その解決には、イオン発生物質を０．０４ミクロン以上８ミクロン以下に粉砕する必要がある。
その物質から発せられるα線、β線、γ線が空気中及び燃料内の水分子を酸素イオン、水素イオン、水酸イオンに分解し活性酸素、活性水素を生成して燃焼効率を上げるだけでなく、燃料中の帯電炭素分子をイオンで中和細分化して燃焼性を上げ、排気ガスに含まれるスモッグ成分や一酸化炭素、窒素酸化物を減少させる効果を発揮させる。
【発明の作用】
【０００５】本発明は、基本的にハ（イ）〜（ニ）の手段から成り立っている。
（イ）イオン発生物質を微細化して
（ロ）バインダー樹脂成分を用いて
（ハ）スプレー容器や装置に充填して
（ニ）吸気フィルターに噴霧定着させる
本発明に於いて使用するイオン発生物質としては、従来からイオンを発生することで知られている物質を、何れも広い範囲で使用することが出来る。
その代表的なものを例示すると、レアアース鉱石系の多くのイオン発生物質が対象になる。
レアアース鉱石系では、消臭抗菌作用を有するトリウム、ウランなどの微量放射性レアーアース鉱物の粉体と常温で遠赤外線を放射するジルコン、ジルコニア、アルミナ、シリカなどのセラミックスを混合−粉砕−焼結を繰り返してできた美濃顔料化学株式会社のイオン・遠赤外線発生セラミックスの「イオミックス」や、洛東化成工業株式会社の「マイナスイオン原体」、株式会社ニシザキの「ＮＮパウダー」などが例示出来る。
バインダー樹脂成分は、繊維用としては、無機粉体の分散性に優れたアクリル酸エステル共重合エマルジョンで大日本インキ化学工業株式会社の「ボンコート  ＡＲ−８８７」があり、塗料用としては、イオン発生に最も適したインキ受容層バインダーで、表面が多孔質になり、イオンの発生を妨げない、ガンツ化成株式会社の「ＦＣＸ−８」ものなども有効である。
バインダー樹脂成分としては他の繊維用バインダーもある。洛東化成工業の「ラグゾール」などはそれにあたる。
イオン発生物資流のセラミックスの分散を均等化するための分散剤や、対象によっては柔軟性を上げるための柔軟剤の添加も必要である。
スプレー容器は、通常のプラスチック製、ガラス製、金属製のボトル容器にハンドスプレーを付けたもの、あるいはガス封入のスプレーなど用途に応じて様々なスプレーを使用するか、塗装用のスプレー装置など様々な噴霧装置が使用できる。
また噴霧にこだわらず、塗りつける、または含浸することでも良い。
本発明に於いては、溶液の構成は、マイナスイオン発生物質１５重量が含まれた３０重量部の水スラリーにバインダー樹脂成分１０重量部、分散剤３重量部、水５７重量部の比で混合された溶液となる。
【実施例１】
【０００６】イオン発生物質として、酸化トリウムを１６％含むセラミック粉体を焼成と粉砕を３回繰り返し成分混合を分散化させた粉体を、ミクロン微細化粉砕機で平均０．０６ミクロンまで粉砕し、それを１５％とバインダー１０％と分散剤５％を７０％の水に溶かし、十分撹拌した水溶液をプラスチックスプレー容器に封入して、乾式エアーフィルターの表面に１０ｃｃ吹き付け、乾燥後裏面に１０ｃｃ吹き付け乾燥後車にセットして使用した。
ＬＰガス車では、１台目が、１Ｌで平均６Ｋｍ〜７Ｋｍ走行したのが、９．２２Ｋｍに向上し、他の１台は、８．９４Ｋｍ向上し、それぞれ従来平均を６．５Ｋｍとすると４１．８５％、３７．５４％向上したことになる。
またハイブリットガソリン車では、従来の平均早強距離は、１１Ｋｍ／Ｌであったのが１３．５５Ｋｍ／Ｌに向上した。
【実施例２】
【０００７】農業耕作車のジーゼルエンジンに、上記実例１項と同様の酸化トリウム１６％を含むセラミック１５％をバインダー１０％、分散剤５％を水７０％に溶かしたものを表裏に１０ｃｃずつ噴霧塗布したエアーフィルターを取り付けたところ、
スモーク（黒煙）  （低減率）％  ：４．２８→→２．５５  （４０．４２％ダウン）
ＴＨＣ（全炭化水素）  （低減率）ｐｐｍ  ：４５７．４２→３５４．７１  （２２．４５％ダウン）
ＣＯ（一酸化炭素）  （低減率）ｐｐｍ  ：２５７．２→２２２．０  （１３．６９％ダウン）
と言う結果を得た。
すなわち、排気ガスの浄化が行われたことになる。
(57)【要約】【課題】素晴らしい、発明と自負しています。【解決手段】無限です。【選択図】図２
2009156248.tif 000002
【特許請求の範囲】
【請求項１】
ここから書き始めます。
【請求項２】
ここから書き始めます。
〔請求項２〕
【発明の詳細な説明】
【技術分野】
【０００１】ここから書き始めます。
【背景技術】
【０００２】
【特許文献１】○
【特許文献２】
【非特許文献１】
【非特許文献２】
【発明の開示】
【発明が解決しようとする課題】この発明に依り多大な温敬を個々に益をもたらすことが出来る
【課題を解決するための手段】今般の原油の値上りで国民の利益を持たらす。
【発明の効果】外に無い無限なことと想います。
【発明を実施するための最良の形態】自動車メーカーで試作車を頼みたい。
【実施例】過去にない、
【産業上の利用可能性】可能  冗談ではありません。
【図面の簡単な説明】
【図２】蒸留水用の水中ポンプを載せて水噴射レバーを利用して水（Ｈ２Ｏ）で噴射の力で動かす。
【符号の説明】
【図１】
2009156248.tif 000003
【図２】
2009156248.tif 000004
【手続補正書】
【提出日】平成20年3月16日(2008.3.16)
【手続補正１】
【補正対象書類名】明細書
【補正対象項目名】全文
【補正方法】変更
【補正の内容】
【発明の詳細な説明】
【発明が解決しようとする課題】
【０００１】  エネルギーをガソリンに依存している日本で水中ポンプを使って水の圧力で車を動かすという画期的な発明です。
【課題を解決するための手段】
【０００２】  エネルギーをガソリンに頼らず、自然の水を利用して動かす車です。
【発明の効果】
【０００３】  言葉で言えない財産です。日本が豊かになります。
【発明を実施するための最良の形態】
【０００４】  自動車メーカーの技術者に提案を願います。
【実施例】
【０００５】  他にない。
【産業上の利用可能性】
【０００６】  研究すれば可能だと思います。
【図面の簡単な説明】
【０００７】
【図１】水中ポンプでポンプレバーの圧力でエンジンを動かす平面図。水中ポンプで水を吸い上げ、ポンプレバーを通してポンプレバーの圧力でタービンを通してその圧力で車を動かすという仕組みです。
【図２】エンジンの立面図。水中ポンプで水をくみ上げて、ポンプレバーへ行きタービンの型をしたものへ水中ポンプでくみ上げてポンプレバーを動かしてその圧力で車つまりエンジンを動かすわけです。
【手続補正２】
【補正対象書類名】図面
【補正対象項目名】全図
【補正方法】変更
【補正の内容】
【図１】
2009156248.tif 000005
【図２】
2009156248.tif 000006